(57)【要約】【課題】  ゴルフクラブを早く正確に振ると共に、振る途中に、握力がゴルフクラブの遠心力に負けて、ゴルフクラブを投げ飛ばしてしまう事を防止する。【解決手段】  ゴルフクラブのグリップの終端に、ゴルフクラブ用のグリップエンドストッパーを提供する。【選択図】図１
2006297089.tif 000002
【特許請求の範囲】
【請求項１】
柔軟性のある骨格樹脂（１１）とそれを覆うソフトカバー樹脂（７）の２種類の樹脂による、ゴルフクラブ（１）のグリップの終端（３）に付ける装着式グリップエンドストッパー。
【請求項２】
柔軟性のある骨格樹脂（１１）を内蔵して、ソフトカバー樹脂（７）をゴルフグリップ（２）と一体化して、ゴルフクラブ（１）のグリップの終端（３）にストッパー（２４）を付けた、骨格樹脂内装グリップ。
【請求項３】
柔軟性のあるフック付き骨格樹脂（３０）とそれを覆うソフトゴム樹脂（２６）の２種類の樹脂による、ゴルフクラブ（１）のグリップの終端（３）に付ける脱着式グリップエンドストッパー。
【発明の詳細な説明】
【技術分野】
【０００１】  本発明は、ゴルフクラブのグリップの終端に付ける２種類の樹脂によるグリップの装着式グリップエンドストッパー及び、骨格樹脂内装グリップに関する物である。
また、他の実施例として、ゴルフクラブのグリップの終端に付ける脱着式グリップエンドストッパーに関するものである。
【背景技術】
【背景技術】
【０００２】  従来のゴルフクラブのグリップの形は、円筒状で前端から終端までストレートな形状であった。
【発明の開示】
【発明が解決しようとする課題】
【０００３】  そのために、次のような問題点があった。
（イ）ゴルフクラブを振る時に、ゴルフクラブの遠心力を受け止めながら、ゴルフクラブを早く正確に振らなければならず、大変であった。
（ロ）ゴルフクラブを振る途中に、ゴルフクラブを手から離してゴルフクラブを投げ飛ばしてしまう事故も有った。
（ハ）ゴルフクラブのグリップにストッパーを付けようとしても適当な物が無く、改造するのは大変であった。
本発明は、これらの問題点を解決するためになされたものである。
【課題を解決するための手段】
【０００４】（イ）ゴルフクラブ（１）のグリップの終端（３）に付ける柔軟性のある骨格樹脂（１１）とそれを覆うソフトカバー樹脂（７）の２種類の樹脂により構成された、装着式グリップエンドストッパー（６）である（図１）。
（ロ）他の実施例として、ゴルフクラブ（１）のグリップの終端（３）に付ける、柔軟性のある骨格樹脂（２９）を内装して、グリップ（２）と一体化してソフトカバー樹脂（７）をグリップ（２）と一体化して、グリップの終端（３）にストッパー（２３）を付けた、骨格樹脂内装グリップ（２３）である（図１２）。
（ハ）他の実施例として、フック付き骨格樹脂（３０）とそれを覆うソフトゴム樹脂（２６）の２種類の樹脂による、ゴルフクラブ（１）のグリップの終端（３）に付ける脱着式グリップエンドストッパー（２５）である（図６）。
【発明の効果】
【０００５】（イ）ゴルフクラブ（１）を振る時に受ける遠心力を強く握らなくとも、簡単に手で受け止められるようにしたので、正確に振れるようになった。
（ロ）ゴルフクラブ（１）を振る途中に、握力がゴルフクラブ（１）の遠心力に負けてゴルフクラブ（１）を投げ飛ばしてしまう事故が無くなった。
（ニ）本発明の装着式グリップエンドストッパー（６）は、ゴルフクラブ（１）のグリップ（２）に骨格樹脂バンド部（１４）により取り付ける事により、グリップ（２）の形を選ばず、殆どの種類のグリップ（２）に対応して取り付ける事が出来る。
（ホ）本発明の装着式グリップエンドストッパー（６）は、使う必要が無くなった時は、骨格樹脂バンド部（１４）を切る事により、容易に取り外す事が出来る場合、グリップ（２）に傷等が付かず、容易に取り付ける前の状態に戻すことができる。
（ハ）本発明の脱着式グリップエンドストッパー（２５）は、ゴルフクラブ（１）のグリップ（２）に、伸縮性のあるソフトゴム樹脂バンド部（２９）によって取り付ける事により、グリップ（２）の形を選ばず、殆どの種類のグリップ（２）に対応して取り付ける事が出来る。
（二）本発明の脱着式グリップエンドストッパー（２５）は、ソフトゴム樹脂バンド部（２９）を強く引っ張り、第１フック（３３）、を第１フック穴（３５）、にしっかり止めて、第２フック（３４）、を第２フック穴（３６）に止める構造なので脱着が容易である。
【発明を実施するための最良の形態】
【０００６】  以下、本発明の実施の形態について説明する。
（イ）ゴルフクラブ（１）のグリップの終端（３）に、ソフトカバー樹脂バンド部（２９）を巻き付けて、本発明の装着式グリップエンドストッパー（６）を付ける（図４）。
（ロ）引っ張りバンド部（１８）を、引っ張りバンド穴入り口（１９）から入れて、引っ張りバンド穴出口（２１）から出す。
（ハ）引っ張りバンド部（１８）を強く引っ張ると、切り欠き部（１７）で切れて、完成である（図４）。
本発明は以上のような構成で、これを使用するときは、ゴルフクラブを握って振るだけで良いので、使用方法は非常に簡単である（図１３）。【０００７】  以下、本発明の他の実施例について説明する。
（イ）ゴルフクラブ（１）のグリップの終端（３）に、ソフトゴム樹脂バンド部（２９）を強く引っ張り、第１フック（３３）、を第１フック穴（３５）、にしっかり止める。更に、第２フック（３４）、を第２フック穴（３６）止める、二段階で止める脱着式グリップエンドストッパー（２５）である（図１１）。
その結果は以下の効果が期待できる。
（イ）ゴルフクラブ（１）を振る時に受ける遠心力を、強く握らなくとも、簡単に手で受け止められるようにしたので、正確に振れるようになった。
（ロ）ゴルフクラブ（１）を振る途中に、握力がゴルフクラブ（１）の遠心力に負けて、ゴルフクラブ（１）を投げ飛ばしてしまう事故が無くなった。
（ハ）ゴルフクラブ（１）のグリップ（２）はいろいろな形状があるが、殆どの種類のグリップ（２）に、ノコギリ状ラック部（１５）とラックストッパー部（２２）の組み合わせによって対応することが出来る。
（ニ）本発明のゴルフクラブ（１）の装着式グリップエンドストッパー（６）構成がシンプルなので誰でも簡単に組み立てられる。
なおかつ、構造が堅牢なので、装着後の耐久性が良い。
（ホ）本発明の装着式グリップエンドストッパー（６）を組み立てる時に、引っ張りバンド部（１８）を引っ張ると、切り欠き部（１７）で切れるので、ゴルフグリップ（２）に必要以上なチカラが掛からない。
（ヘ）骨格樹脂ボデー部（１２）の中で、切り欠き部（１７）が切れるので、骨格樹脂（１２）はソフトカバー樹脂（７）の中に隠れてしまう。
その結果、手触りが良い（図４）。
（ト）グリップ（２）にストッパー（２４）を付ける事により、ゴルフクラブ（１）を振る時に、グリップの終端（３）に強いチカラが掛かるが、骨格樹脂バンド部（１４）が一周しているのでチカラを分散して、耐久性が有る。
（チ）本発明の骨格樹脂（１１）を内蔵して、ソフトカバー樹脂（７）と一体化した、骨格樹脂内装グリップ（２３）は、さらに構造が簡単で耐久性が良い（図１２）。
（リ）本発明の脱着式グリップエンドストッパー（２５）は、ソフトゴム樹脂バンド部（２９）を強く引っ張り、第１フック（３３）、を第１フック穴（３５）、にしっかり止める。更に、第２フック（３４）、を第２フック穴（３６）止める、二段階で止める構成なので脱着が簡単である（図１１）。
（ヌ）本発明の脱着式グリップエンドストッパー（２５）は、ソフトゴム樹脂（２６）と柔軟性のあるフック付き骨格樹脂（３０）の２つの部品だけで出来ており、構造が堅牢で耐久性が良い（図８）。
【図面の簡単な説明】
【０００８】
【図１】本発明の装着式グリップエンドストッパー（６）の斜視図である。
【図２】本発明の装着式グリップエンドストッパー（６）を反対側から見た斜視図である。
【図３】本発明の装着式グリップエンドストッパー（６）の分解斜視図である。
【図４】本発明の装着式グリップエンドストッパー（６）をゴルフクラブ（１）に取り付けて、完成した状態を示した斜視図である。
【図５】本発明の装着式グリップエンドストッパー（２４）の、引っ張りバンド穴（１９）での位置における断面図である。
【図６】本発明の脱着式グリップエンドストッパー（２５）の斜視図である。
【図７】本発明の脱着式グリップエンドストッパー（２５）反対側から見た斜視図である。
【図８】本発明の脱着式グリップエンドストッパー（２５）の分解斜視図である。
【図９】本発明の脱着式グリップエンドストッパー（２５）の第１フック（３３）と第２フック穴（３６）での位置における断面図である。
【図１０】本発明の脱着式グリップエンドストッパー（２５）をゴルフクラブ（１）に取り付けて、完成した状態を示した斜視図である。
【図１１】本発明の脱着式グリップエンドストッパー（２５）をゴルフクラブ（１）に取り付けた状態での引っ掛けバンド穴（３６）での位置における断面図である。
【図１２】本発明の他の製作例として、ソフトカバー樹脂（７）とゴルフグリップ（２）を一体化して製作した、骨格樹脂内装グリップ（２３）の斜視図である。
【図１３】本発明のグリップエンドストッパー（３７）の使用例を示した斜視図である。
【符号の説明】
【０００９】    １    ゴルフクラブ
２    グリップ
３    グリップの終端
４    シャフト
５    クラブヘッド
６    装着式グリップエンドストッパー
７    ソフトカバー樹脂
８    ソフトカバー樹脂ボデー部
９    ソフトカバー樹脂ストッパー部
１０  ソフトカバー樹脂バンド部
１１  骨格樹脂
１２  骨格樹脂ボデー部
１３  骨格樹脂ストッパー部
１４  骨格樹脂バンド部
１５  ノコギリ状ラック部
１７  切り欠き部
１８  引っ張りバンド部
１９  引っ張りバンド穴
２０  引っ張りバンド穴入り口
２１  引っ張りバンド穴出口
２２  ラックストッパー部
２３  骨格樹脂内装グリップ
２４  ストッパー
２５  脱着式グリップエンドストッパー
２６  ソフトゴム樹脂
２７  ソフトゴム樹脂ボデー部
２８  ソフトゴム樹脂ストッパー部
２９  ソフトゴム樹脂バンド部
３０  フック付き骨格樹脂
３１  フック付き骨格樹脂ボデー部
３２  フック付き骨格樹脂バンド部
３３  第１フック
３４  第２フック
３５  第１フック穴
３６  第２フック穴
３７  グリップエンドストッパー
【図１】
2006297089.tif 000003
【図２】
2006297089.tif 000004
【図３】
2006297089.tif 000005
【図４】
2006297089.tif 000006
【図５】
2006297089.tif 000007
【図６】
2006297089.tif 000008
【図７】
2006297089.tif 000009
【図８】
2006297089.tif 000010
【図９】
2006297089.tif 000011
【図１０】
2006297089.tif 000012
【図１１】
2006297089.tif 000013
【図１２】
2006297089.tif 000014
【図１３】
2006297089.tif 000015